(57)【要約】【課題】複数のＶＬＡＮネットワークを用いたデータ通信を適切に実行することを可能とした電子機器を提供する。【解決手段】ＭＡＣ層１５は、受信パケットから送信元ＭＡＣアドレスとＶＬＡＮタグ情報とを抽出し、このＶＬＡＮタグ情報をＭＡＣアドレスと対応づけてＭＡＣアドレス学習テーブル１８に格納する。また、ＭＡＣ層１５は、送信パケットから送信先ＭＡＣアドレスを抽出し、このＭＡＣアドレスに対応づけられたＶＬＡＮタグ情報をＭＡＣアドレス学習テーブル１８から取得し、このＶＬＡＮタグ情報をパケットに付加して送出する。【選択図】      図５
2006311066.tif 000002
【特許請求の範囲】
【請求項１】
仮想的に形成されるＶＬＡＮネットワークを少なくとも１つ以上用いてパケットを送受信する電子機器であって、
パケットを送受信可能なＶＬＡＮネットワークそれぞれのＶＬＡＮタグ情報を保持するＶＬＡＮタグ情報テーブルと、
パケットを送受信し合う相手のＭＡＣアドレスを保持するテーブルであって、そのパケット送受信に用いられたＶＬＡＮネットワークのＶＬＡＮタグ情報を当該相手のＭＡＣアドレスと対応づけて保持するＭＡＣアドレステーブルと、
受信したパケットから送信元のＭＡＣアドレスおよびＶＬＡＮタグ情報を抽出し、前記ＶＬＡＮタグ情報テーブル内を検索して前記抽出したＶＬＡＮタグ情報が保持されているか否かを調べ、保持されていれば、このパケットを自機器宛てのパケットであると判定して取り込むと共に、前記抽出したＶＬＡＮタグ情報を前記抽出したＭＡＣアドレスと対応づけて前記ＭＡＣアドレステーブルに格納し、保持されていなければ、このパケットを自機器宛てのパケットではないと判定して破棄する受信パケット処理手段と、
送信するパケットから送信先のＭＡＣアドレスを抽出し、前記ＭＡＣアドレステーブル内を検索して前記抽出したＭＡＣアドレスが保持されているか否かを調べ、保持されていれば、前記ＭＡＣアドレステーブルにおいて当該ＭＡＣアドレスに対応づけられたＶＬＡＮタグ情報をパケットに付加して送出し、保持されていなければ、前記ＶＬＡＮタグ情報テーブル内に保持されたＶＬＡＮタグ情報の数だけパケットを複製すると共に、この複製したパケットそれぞれに互いに異なるＶＬＡＮタグ情報を付加して送出する送信パケット処理手段と、
を具備することを特徴とする電子機器。
【請求項２】
前記ＶＬＡＮタグ情報は、各ＶＬＡＮネットワークのＶＬＡＮタグＩＤを含むことを特徴とする請求項１記載の電子機器。
【請求項３】
前記ＶＬＡＮタグ情報に含まれるＶＬＡＮタグＩＤが所定の値である場合、ＶＬＡＮタグ無しのＶＬＡＮネットワークであることを示し、
前記送信パケット処理手段は、前記ＶＬＡＮタグ情報テーブル内に保持されたＶＬＡＮタグ情報に含まれるＶＬＡＮタグＩＤが前記所定の値であった場合、当該ＶＬＡＮタグ情報の付加を行わないことを特徴とする請求項２記載の電子機器。
【請求項４】
前記ＶＬＡＮタグ情報テーブルには、各ＶＬＡＮネットワークの優先度がＶＬＡＮタグ情報と共に保持され、
前記送信パケット処理手段は、前記ＭＡＣアドレスに対応づけられたＶＬＡＮタグ情報が複数存在する場合、前記ＶＬＡＮタグ情報テーブルに保持された優先度が最も高いＶＬＡＮネットワークのＶＬＡＮタグ情報を選択して付加することを特徴とする請求項１記載の電子機器。
【請求項５】
前記ＭＡＣアドレステーブルには、前記受信パケット処理手段によって各パケットの受信時刻がＶＬＡＮタグ情報と対応づけて保持され、
前記受信時刻からの経過時間が予め定められた時間を越えたＶＬＡＮタグ情報を前記ＭＡＣアドレステーブルから削除するＭＡＣアドレステーブル管理手段をさらに具備することを特徴とする請求項１記載の電子機器。
【請求項６】
各ＶＬＡＮタグ情報を前記ＭＡＣアドレステーブルに保持させる期間となる前記予め定められた時間を設定する保持時間設定手段をさらに具備することを特徴とする請求項５記載の電子機器。
【請求項７】
前記送信パケット処理手段は、前記ＶＬＡＮタグ情報テーブル内に保持されたＶＬＡＮタグ情報が１つであった場合、パケットの複製は行わず、そのパケットに当該ＶＬＡＮタグ情報を付加して送出することを特徴とする請求項１記載の電子機器。
【請求項８】
前記ＶＬＡＮタグ情報テーブルに保持させるＶＬＡＮタグ情報を設定するＶＬＡＮタグ情報テーブル設定手段をさらに具備することを特徴とする請求項１記載の電子機器。
【請求項９】
前記送信パケット処理手段は、送信先のＭＡＣアドレスがブロードキャストアドレスであった場合、前記ＶＬＡＮタグ情報テーブル内に保持されたＶＬＡＮタグ情報の数だけパケットを複製すると共に、この複製したパケットそれぞれに互いに異なるＶＬＡＮタグ情報を付加して送出することを特徴とする請求項１記載の電子機器。
【請求項１０】
前記送信パケット処理手段は、前記ＶＬＡＮタグ情報テーブル内に保持されたＶＬＡＮタグ情報が１つであった場合、パケットの複製は行わず、そのパケットに当該ＶＬＡＮタグ情報を付加して送出することを特徴とする請求項９記載の電子機器。
【請求項１１】
仮想的に形成されるＶＬＡＮネットワークを少なくとも１つ以上用いてパケットを送受信する電子機器であって、
受信パケットから送信元のＭＡＣアドレスおよびＶＬＡＮタグ情報を抽出し、前記抽出したＶＬＡＮタグ情報を前記抽出したＭＡＣアドレスと対応づけて管理する手段と、
送信パケットから送信先のＭＡＣアドレスを抽出し、前記抽出したＭＡＣアドレスに対応づけられて管理されたＶＬＡＮタグ情報を当該送信パケットに付加する手段と、
を具備することを特徴とする電子機器。
【発明の詳細な説明】
【技術分野】
【０００１】
この発明は、例えばオフィスや家庭内等で構築されるネットワークを介してデータを送受信する電子機器のＶＬＡＮネットワーク活用技術に関する。
【背景技術】
【０００２】
近年、ＤＶＤレコーダやＨＤＤビデオレコーダ等のいわゆるデジタル家電製品が種々開発・販売されている。これに伴い、これらのデジタル家電製品同士を接続するためのネットワークを構築する家庭も増加している。
【０００３】
複数の通信装置が接続されるネットワークでは、データの伝達を如何に効率的に行うかが重要であり、そのために、ネットワーク上をループし続けてしまっているデータを発見して破棄する手法や、このようなデータを発生させないようにするための手法も多く提案されている（例えば特許文献１等参照）。
【０００４】
また、例えばオフィスでネットワークを構築する場合には、仮想的に形成されるＶＬＡＮネットワークを利用することも良く行われている。例えば営業部はＶＬＡＮネットワーク１を使用し、総務部はＶＬＡＮ２を使用する等、各社員が自分の所属する部のＶＬＡＮネットワークを用いるようにすれば、異なる部の社員が混在するフロア環境でも、（物理的に）同一のネットワークを利用して、あたかも各部毎に構築されたネットワークを利用しているかのごとくデータ送受信が行えるので、例えば場所が移動する度に再設定作業を繰り返さなければならないといったことを防止する。
【特許文献１】特開２００４−３２０２４８号公報
【発明の開示】
【発明が解決しようとする課題】
【０００５】
ところで、例えばプリンタやファイルサーバ等については、複数のＶＬＡＮネットワークでデータを送受信させたいという要望もある。この要望に応えるために、複数のＶＬＡＮネットワークをブリッジする中継手法も存在する。無線ＬＡＮ接続用のアクセスポイント等で適用されるＭＡＣブリッジ等の当該中継手法を用いれば、例えば異なるＶＬＡＮネットワークを利用する営業部と総務部とで同一のプリンタやファイルサーバ等を共用するといったことも可能となる。
【０００６】
しかしながら、同じＶＬＡＮネットワークを２つ以上含む複数のＶＬＡＮネットワークをブリッジする電子機器が複数存在すると、論理的なループ経路が形成され、当該論理的に形成されたループ経路上をループし続けるデータを発生させるおそれがある。前述の特許文献１では、このように論理的に形成されたループ経路上をループし続けるデータに対処することは不可能である。
【０００７】
この発明は、このような事情を考慮してなされたものであり、複数のＶＬＡＮネットワークを用いたデータ通信を適切に実行することを可能とした電子機器を提供することを目的とする。
【課題を解決するための手段】
【０００８】
前述した目的を達成するために、この発明は、仮想的に形成されるＶＬＡＮネットワークを少なくとも１つ以上用いてパケットを送受信する電子機器であって、パケットを送受信可能なＶＬＡＮネットワークそれぞれのＶＬＡＮタグ情報を保持するＶＬＡＮタグ情報テーブルと、パケットを送受信し合う相手のＭＡＣアドレスを保持するテーブルであって、そのパケット送受信に用いられたＶＬＡＮネットワークのＶＬＡＮタグ情報を当該相手のＭＡＣアドレスと対応づけて保持するＭＡＣアドレステーブルと、受信したパケットから送信元のＭＡＣアドレスおよびＶＬＡＮタグ情報を抽出し、前記ＶＬＡＮタグ情報テーブル内を検索して前記抽出したＶＬＡＮタグ情報が保持されているか否かを調べ、保持されていれば、このパケットを自機器宛てのパケットであると判定して取り込むと共に、前記抽出したＶＬＡＮタグ情報を前記抽出したＭＡＣアドレスと対応づけて前記ＭＡＣアドレステーブルに格納し、保持されていなければ、このパケットを自機器宛てのパケットではないと判定して破棄する受信パケット処理手段と、送信するパケットから送信先のＭＡＣアドレスを抽出し、前記ＭＡＣアドレステーブル内を検索して前記抽出したＭＡＣアドレスが保持されているか否かを調べ、保持されていれば、前記ＭＡＣアドレステーブルにおいて当該ＭＡＣアドレスに対応づけられたＶＬＡＮタグ情報をパケットに付加して送出し、保持されていなければ、前記ＶＬＡＮタグ情報テーブル内に保持されたＶＬＡＮタグ情報の数だけパケットを複製すると共に、この複製したパケットそれぞれに互いに異なるＶＬＡＮタグ情報を付加して送出する送信パケット処理手段とを具備することを特徴とする。
【発明の効果】
【０００９】
この発明によれば、複数のＶＬＡＮネットワークを用いたデータ通信を適切に実行することを可能とした電子機器を提供できる。
【発明を実施するための最良の形態】
【００１０】
以下、図面を参照してこの発明の実施形態について説明する。図１は、この発明の一実施形態に係る通信システムのネットワーク構成を示す図である。
【００１１】
本実施形態の通信システムは、例えばテレビジョン装置、ＨＤＤビデオレコーダ、パーソナルコンピュータ等がデータを送受信し合うために構築されるものであり、図１に示すように、複数の電子機器（（Ａ）〜（Ｅ））１がＬＡＮ（local area network）２に接続されている。
【００１２】
この通信システムでは、ＶＬＡＮネットワークを利用し、物理的には１つのネットワーク上において、例えばある電子機器１同士はＶＬＡＮネットワーク１経由、別の電子機器同士はＶＬＡＮネットワーク２経由といったように、それぞれがあたかも異なるネットワーク経由でデータを送受信しているように見せ掛けるための設定が行われている。
【００１３】
そして、ここでは、このように仮想的に形成されるＶＬＡＮネットワークとして、少なくともＶＬＡＮネットワーク１（ＶＬＡＮ１）およびＶＬＡＮネットワーク２（ＶＬＡＮ２）の２つが存在するものとし、かつ、電子機器（Ａ）１および電子機器（Ｂ）２の２台の電子機器１は、このＶＬＡＮ１およびＶＬＡＮ２の２つのＶＬＡＮネットワークを使用しているものと想定する。
【００１４】
つまり、電子機器（Ａ）１および電子機器（Ｂ）１は、ＶＬＡＮ１およびＶＬＡＮ２の２つのＶＬＡＮネットワークを使用するために、ＭＡＣブリッジを備えており、ＩＰ等の上位層からは複数のＶＬＡＮネットワークを透過的にアクセスできるようにしているわけである。
【００１５】
また、図２は、この電子機器（Ａ）１および電子機器（Ｂ）１によって論理的に構成されるループ経路を示す図である。例えばＭＡＣアドレスを問い合わせるためのブロードキャスト用のパケットが電子機器（Ａ）１のＭＡＣブリッジに到着すると、当該ＭＡＣブリッジは、そのパケットを上位層へと引き渡すと共に、ＶＬＡＮ２側にも中継する。
【００１６】
このＶＬＡＮ２側に中継されたパケットは、電子機器（Ｂ）１のＭＡＣブリッジに到着すると、同じくＭＡＣブリッジによって上位層への引き渡されると共に、ＶＬＡＮ１側にも中継されることになる。つまり、このパケットは、このループ経路上をループし続けてしまう。そこで、本実施形態の電子機器は、このようなループを発生させることなく、複数のＶＬＡＮネットワークを用いたデータ通信を適切に実行することを可能とする仕組みを備えたものであり、以下、この点について詳述する。
【００１７】
図３は、電子機器（Ａ）１および電子機器（Ｂ）１のデータ通信に関わるシステム構成を示す図である。
【００１８】
ＩＰ層１１は、上位層（アプリケーション層）と下位層（ＬＬＣ層１４）との入出力端点を持ち、ＩＰプロトコルを実装している。また、ＩＰ層１１は、ＡＲＰテーブル１２との入出力端点を持ち、送信先ＩＰアドレスをＡＲＰテーブル１２から検索して送信先のＭＡＣアドレスを取得し、送信パケットに付加して下位層に渡す。
【００１９】
ＡＲＰ層１３は、下位層（ＬＬＣ層１４）との入出力端点を持ち、ＡＲＰプロトコルを実装している。また、ＡＲＰ層１３は、ＡＲＰテーブル１２との入出力端点を持ち、ＡＲＰプロトコルにより得られたＩＰアドレスとＭＡＣアドレスとの関係を、ＡＲＰテーブル１２に保存する。
【００２０】
ＬＬＣ層１４は、上位層（ＩＰ層１１，ＡＲＰ層１３）とＭＡＣ層１５との入出力端点を持ち、ＬＬＣプロトコルを実装している。
【００２１】
ＭＡＣ層１５は、ＬＬＣ層１４とＰＨＹ層２０との入出力端点を持ち、ＭＡＣプロトコルを実装している。また、ＭＡＣ層１５は、ＶＬＡＮタグ情報テーブル１６およびＭＡＣアドレス学習テーブルとの入出力端点を持つ。ＭＡＣ層１５は、下位層からパケットを受信すると、送信元ＭＡＣアドレス、ＶＬＡＮタグ情報（タグの有無，ＶＬＡＮ−ＩＤ）をパケットから抽出し、この抽出したＶＬＡＮタグ情報をＶＬＡＮタグ情報テーブル１６内の全エントリと比較する。そして、ＭＡＣ層１５は、エントリと一致しないパケットは破棄し、エントリと一致した受信パケットのＶＬＡＮタグ情報は送信元ＭＡＣアドレス、受信時刻と共にＭＡＣアドレス学習テーブル１８に保存する。
【００２２】
また、ＭＡＣ層１５は、上位層から受けとった送信パケットは、パケットに含まれるＭＡＣアドレスからＭＡＣアドレス学習テーブル１８内を検索し、ＭＡＣアドレスの一致するＶＬＡＮタグ情報を送信パケットに付加して下位層に渡す。ＭＡＣアドレス学習テーブル１８内にＭＡＣアドレスの一致する複数のエントりがある場合は、ＶＬＡＮタグ情報テーブル内で設定されている優先度情報に基づきＶＬＡＮタグ情報を選択し、パケットに付加して下位層に渡す。送信先ＭＡＣアドレスが見つからない場合には(未学習またはブロードキャスト)、ＶＬＡＮタグ情報テーブル１６を参照し、エントリされている全てのＶＡＬＡＮ情報の数だけパケットを複製し、それぞれにＶＬＡＮタグ情報を付加して下位層に渡す。
【００２３】
ＰＨＹ層２０は、物理メディア２１およびＭＡＣ層１５との入出力端点を持つ、ネットワークへの物理的な送受信を実現する。
【００２４】
ＶＬＡＮタグ情報テーブル設定部１７は、ユーザとの入出力インタフェースと、ＶＬＡＮタグ情報テーブル１６への入出力端点を持ち、ＶＬＡＮタグ情報テーブル１６のエントリをユーザに提示する機能と、ＶＬＡＮタグ情報テーブル１６のエントリをユーザからの入力値に設定する機能とを有する。
【００２５】
ＭＡＣアドレス学習テーブルエージング部１９は、ＭＡＣアドレス学習テーブル１８の全エントリに含まれる受信時刻から現在時刻までの経過時間とエージング時間値とを比較し、このエージング時間を越えたエントリを削除する機能を持つ。また、ＭＡＣアドレス学習テーブルエージング部１９は、このエージング時間をユーザが設定するためのユーザ入出力機能を有する。
【００２６】
図４は、ＭＡＣアドレス学習テーブル１８の一具体例であり、受信したパケットから抽出した送信元ＭＡＣアドレス、ＶＬＡＮタグ情報、受信時刻を保存する。テーブルは、ＭＡＣアドレスエントリの配列と、ＭＡＣアドレスエントリからリンクされるＶＬＡＮタグ情報エントリとから構成される。このＭＡＣアドレスエントリは、ＭＡＣアドレス（ａ１，ａ７）とＶＬＡＮタグ情報ポインタ（ａ２，ａ８）とから構成される。ＶＬＡＮタグ情報ポインタは、ＶＬＡＮタグ情報エントリを指している。
【００２７】
また、ＶＬＡＮタグ情報エントリは、ＶＬＡＮタグ情報（ａ３，ａ９，ａ１１）、受信時刻（ａ４，ａ１０，ａ１２）およびＶＬＡＮタグ情報ポインタ（ａ５，ａ６，ａ１３）から構成される。ＶＬＡＮタグ情報は１６ビット長のデータであり、下位１２ビットを用いてＶＬＡＮ−ＩＤを示す。この値が"0xFFFF"のときはタグ無しを示す。ＶＬＡＮタグ情報ポインタがNULLの場合は終端であり、以降にＶＬＡＮタグ情報エントリが存在しないことを示す。
【００２８】
一方、図５は、ＶＬＡＮタグ情報テーブル１６の一具体例である。この例では、ＶＬＡＮタグ情報テーブル１６は、ＶＬＡＮタグ情報（ｂ１〜ｂ６）からなる配列で実現されており、配列の順に使用する優先度も示されている。
【００２９】
ここで、図６を参照して、本実施形態の電子機器におけるＭＡＣ層１５が、ＬＬＣ層１４から渡されたパケットをＰＨＹ層２０に送信する際の動作手順について説明する。
【００３０】
ＭＡＣ層１５は、上位層から送信パケットを渡されると（ステップＡ１）、まず、送信先ＭＡＣアドレスを抽出する（ステップＡ２）。そして、ＭＡＣ層１５は、この抽出した送信先ＭＡＣアドレスとＭＡＣアドレス学習テーブル１８の学習済みＭＡＣアドレスエントリとを比較する（ステップＡ３）。
【００３１】
もし、送信先ＭＡＣアドレスがＭＡＣアドレス学習テーブル１８に既に学習済みで存在した場合（ステップＡ３のＹＥＳ）、ＭＡＣ層１５は、一致したＭＡＣアドレスに複数のＶＬＡＮタグ情報エントリがあるかどうかを判定する（ステップＡ４）。ＶＬＡＮタグ情報エントリが１つしか存在しない場合（ステップＡ４のＮＯ）、ＭＡＣ層１５は、そのＶＬＡＮタグ情報に基づき、送信パケットにＶＬＡＮタグを付加する（ステップＡ５）。このＶＬＡＮタグが付加された送信パケットは、下位層に渡されてネットワークに送信される（ステップＡ６）。
【００３２】
一方、一致したＭＡＣアドレスに複数のVLANタグ情報が存在する場合には（ステップＡ４のＹＥＳ）、ＭＡＣ層１５は、ＶＬＡＮタグ情報テーブル１６内を検索して最も優先度の高いＶＬＡＮタグ情報を選出する（ステップＡ７）。そして、ＭＡＣ層１５は、この選出したＶＬＡＮタグ情報に基づき、送信パケットにVLANタグを付加して下位層に渡し、ネットワークへ送信する（ステップＡ５，Ａ６）。
【００３３】
また、送信パケットから抽出した送信先ＭＡＣアドレスがＭＡＣアドレス学習テーブル１８に存在しない場合（ステップＡ３のＮＯ）、つまり、ＭＡＣアドレスが未学習またはブロードキャストアドレスの場合、ＶＬＡＮタグ情報テーブル１６に登録されている全てのＶＬＡＮタグ情報を取得する（ステップＡ８）。そして、ＭＡＣ層１５は、この取得したＶＬＡＮタグ情報の数だけパケットを複製し（ステップＡ９）、各ＶＬＡＮタグ情報に基づき、ＶＬＡＮタグを付加して下位層に渡す（ステップＡ１０，Ａ６）。つまり、Ｎ個のＶＬＡＮタグ情報がＶＬＡＮタグ情報テーブル１６に登録されていれば、送信パケットはＮ回送信されることになる。
【００３４】
次に、図７を参照して、本実施形態の電子機器におけるＭＡＣ層１５が、ＰＨＹ層２０から受け取ったパケットを処理する際の動作手順について説明する。
【００３５】
ＭＡＣ層１５は、下位層から受信パケットを受け取ると（ステップＢ１）、まず、送信元ＭＡＣアドレスとＶＬＡＮタグ情報とを抽出する（ステップＢ２）。そして、ＭＡＣ層１５は、抽出したＶＬＡＮタグ情報をＶＬＡＮタグ情報テーブル１６から検索する（ステップＢ３）。
【００３６】
もし、該当するＶＬＡＮタグ情報が見つからなかった場合（ステップＢ３のＮＯ）、ＭＡＣ層１５は、この受信パケットを破棄する（ステップＢ４）。一方、ＶＬＡＮタグ情報がＶＬＡＮタグ情報テーブル１６で見つかった場合（ステップＢ３のＹＥＳ）、ＭＡＣ層１５は、抽出した送信元ＭＡＣアドレスおよびＶＬＡＮタグ情報と受信時刻とをＭＡＣアドレス学習テーブル１８に保存し（ステップＢ５）、その保存後、受信パケットを上位層に渡す（ステップＢ６）。
【００３７】
このよに、本実施形態の電子機器では、ＭＡＣアドレスとＶＬＡＮタグ情報とを関連付け学習することにより、通信先に応じてパケットに付加すべきＶＬＡＮタグが適切に調整されるので、異なるＶＬＡＮネットワークをＩＰ層から透過的にアクセス可能となる。
【００３８】
また、ＭＡＣブリッジを用いた場合に問題となる、ループ状態でのブロードキャストストームも発生せず、プロミスキャスモードで動作する必要はないため、システムの性能低下を免れる。
【００３９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４０】
【図１】この発明の一実施形態に係る通信システムのネットワーク構成を示す図
【図２】複数のＶＬＡＮネットワークをブリッジすることによって論理的に構成されるループ経路を示す図
【図３】同実施形態の電子機器のデータ通信に関わるシステム構成を示す図
【図４】同実施形態の電子機器がもつＭＡＣアドレス学習テーブルの一具体例
【図５】同実施形態の電子機器がもつＶＬＡＮタグ情報テーブルの一具体例
【図６】同第実施形態の電子機器におけるＭＡＣ層がＬＬＣ層から渡されたパケットをＰＨＹ層に送信する際の動作手順を示したフローチャート
【図７】同実施形態の電子機器におけるＭＡＣ層がＰＨＹ層から受け取ったパケットを処理する際の動作手順を示したフローチャート
【符号の説明】
【００４１】
１…電子機器、２…ＬＡＮ、１１…ＩＰ層、１２…ＡＲＰテーブル、１３…ＡＲＰ層、１４…ＬＬＣ層、１５…ＭＡＣ層、１６…ＶＬＡＮタグ情報テーブル、１７…ＶＬＡＮタグ情報テーブル設定部、１８…ＭＡＣアドレス学習テーブル、１９…ＭＡＣアドレス学習テーブルエージング部、２０…ＰＨＹ層、２１…物理メディア。
【図１】
2006311066.tif 000003
【図２】
2006311066.tif 000004
【図３】
2006311066.tif 000005
【図４】
2006311066.tif 000006
【図５】
2006311066.tif 000007
【図６】
2006311066.tif 000008
【図７】
2006311066.tif 000009